(57)【要約】【課題】  幅方向の長さを短縮して実装面積を小さくするとともに、製造を容易として製造コストを低減する。【解決手段】  １次巻線，２次巻線を収納して閉磁路を形成するコア部は、架台２０上に支持されており、基底部から上方へ向かって立設された１対の側脚３２ａ，３２ｂおよび両側脚の間隔内に配設された中央脚を有するＥ型コア３０と、Ｅ型コアの上部開放面を閉塞するＩ型コア４０を備える。Ｅ型コアは、中央脚の外周部に１次巻線，２次巻線を上下に積み重ねて巻回する多段ボビン５０が設けられ、１対の側脚を有する側面部に隣接する側面部が開放され、開放された両側面部および多段ボビン５０に２次巻線を誘導する巻線誘導用溝７０ａ，７０ｂが設けられる。Ｅ型コアの１対の側脚を有する側面部の少なくとも一方の架台に、１次巻線，２次巻線の各端部を接続する端子部６０ａ、６０ｂを設ける。【選択図】          図１
2006005037.tif 000002
【特許請求の範囲】
【請求項１】
１次巻線および２次巻線を収納して閉磁路を形成するコア部を備え、前記１次巻線と前記２次巻線との間で電磁誘導を行うリーケージトランスにおいて、
前記コア部は、架台上に支持されるとともに、基底部から上方へ向かって立設された１対の側脚および該１対の側脚の間隔内に配設された中央脚を有するＥ型コアと、該Ｅ型コアの上部開放面を閉塞するＩ型コアとを備え、
前記Ｅ型コアは、前記中央脚の外周部に前記１次巻線および前記２次巻線を上下に積み重ねて巻回する多段ボビンが設けられるとともに、前記１対の側脚を有する側面部に隣接する側面部が開放されており、該開放された両側面部の少なくとも一方に前記２次巻線を誘導する巻線誘導用溝が設けられ、かつ前記多段ボビンの前記巻線誘導用溝と重なる位置の少なくとも一部にも前記巻線誘導用溝と連通する巻線誘導用溝が設けられ、
前記架台は、前記Ｅ型コアの前記１対の側脚を有する側面部の少なくとも一方側に、前記１次巻線および前記２次巻線の各端部を接続する端子部が設けられていることを特徴とするリーケージトランス。
【請求項２】
前記Ｅ型コアは、前記中央脚と、前記１対の側脚のうちいずれか一方との間に、前記１次巻線の一部を巻回して前記１次巻線と前記２次巻線の結合係数を調整する補助脚が設けられるとともに、該補助脚の外周部に１次巻線を巻回する補助ボビンが設けられていることを特徴とする請求項１記載のリーケージトランス。
【請求項３】
前記補助ボビンと前記架台とに、前記１次巻線を掛け渡して前記１次巻線に張力を与えることにより前記２次巻線との接触を防止するための巻線引っ掛け部を設けたことを特徴とする請求項２記載のリーケージトランス。
【請求項４】
前記端子部は、前記１対の側脚を有する側面部の双方に位置する前記架台に設けられ、一方の側面部に設けられた端子部を巻線の巻始め側とし、他方の側面部に設けられた端子部を巻線の巻終わり側とすることを特徴とする請求項１〜３のうちいずれか１項記載のリーケージトランス。
【請求項５】
前記Ｅ型コアは、横断面形状が略長方形状をなすとともに、長手方向の両端部に位置する前記架台に前記端子部が設けられていることを特徴とする請求項１〜４のうちいずれか１項記載のリーケージトランス。
【請求項６】
前記架台の裏側に、前記巻線誘導用溝から前記端子部へ向かって巻線を誘導するガイド部を設けたことを特徴とする請求項１〜５のうちいずれか１項記載のリーケージトランス。
【請求項７】
前記多段ボビンの巻枠を構成する複数の鍔部は、前記巻線誘導用溝と上下方向に対向する位置に、それぞれ切欠部が設けられていることを特徴とする請求項１〜６のうちいずれか１項記載のリーケージトランス。
【発明の詳細な説明】
【技術分野】
【０００１】
本発明は、液晶表示装置のバックライトを点灯させるための点灯回路等に使用されるリーケージトランスに関する。
【背景技術】
【０００２】
ＴＶモニタやパーソナルコンピュータのモニタに使用される液晶表示装置は、バックライトを点灯させるための点灯回路を備えている。この点灯回路は、高電圧を発生させて液晶表示装置を駆動するために、リーケージトランスが用いられるのが一般的である。この種のリーケージトランスとしては、例えば特許文献１に記載されたものが知られている。
【０００３】
特許文献１に記載されたリーケージトランスは、１次巻線および２次巻線を収納して閉磁路を形成するコア部を備え、１次巻線と２次巻線との間で電磁誘導を行うようになっている。コア部は、周囲が側脚に囲まれたポット状の下側コアと、下側コアの上部開放面を閉塞する上側コアとを備えており、下側コアの基底部には上方へ向かって中央脚が立設されている。
【０００４】
また、下側コアの基底部に、１次巻線の一部を巻回して１次巻線と２次巻線の結合係数を調整する補助脚を備えており、コア部が横長状となっている。
【０００５】
さらに、横長状のコア部の長手方向の端部に、１次巻線および２次巻線の各端部を接続する端子部が設けられており、該端子部を設けた端部の一方に、端子部と巻線部とを連通する巻線誘導用溝が設けられている。
【０００６】
【特許文献１】特開２００３−１２４０３７号公報
【発明の開示】
【発明が解決しようとする課題】
【０００７】
ところで、近年の液晶表示装置は、液晶表示部を囲む枠部の面積を少なくして、同一の画面サイズであっても全体の小型化を図るとともに、厚みを減少させて薄型化を図り、より軽量かつコンパクトなものとすることが要求されている。このため、点灯回路に使用されるリーケージトランスにおいても、回路基板に対する実装面積を減少させるため、さらなる小型化が要求されている。
【０００８】
しかしながら、前記した従来のリーケージトランスは、下側コアがポット型となっているため、巻線部のボビンの周囲が側脚に囲まれており、ボビンの巻枠が全体形状に比して小さく、スペースを有効に生かしてハイパワーのトランスとすることができなかった。また、装置全体の小型化にも限界があった。特に、１次巻線の一部を巻回して１次巻線と２次巻線の結合係数を調整するための補助脚を設けた場合には、横長状のコア部において、短手方向の幅を狭めることが難しかった。
【０００９】
また、下側コアにおいて、端子部を設けた端部の一方に、端子部と巻線部とを連通する巻線誘導用溝が設けられているが、巻線誘導用溝を設けた部分では側脚をカットしなければならず、コア部を形成するための型枠が複雑な形状となり、製造コストを低減することが難しかった。特に、横長状のコア部とした場合には、側脚のカット部分が増加し、磁束への影響が増加して、設計通りの容量等を確保することが難しかった。
【００１０】
本発明は、上述した事情に鑑み提案されたもので、幅方向の長さを短縮して実装面積を小さくすることが可能であり、さらに製造が容易で製造コストを低減することが可能なリーケージトランスを提供することを目的とする。
【課題を解決するための手段】
【００１１】
本発明のリーケージトランスは、上述した目的を達成するため、１次巻線および２次巻線を収納して閉磁路を形成するコア部を備え、前記１次巻線と前記２次巻線との間で電磁誘導を行うリーケージトランスにおいて、
前記コア部は、架台上に支持されるとともに、基底部から上方へ向かって立設された１対の側脚および該１対の側脚の間隔内に配設された中央脚を有するＥ型コアと、該Ｅ型コアの上部開放面を閉塞するＩ型コアとを備え、
前記Ｅ型コアは、前記中央脚の外周部に前記１次巻線および前記２次巻線を上下に積み重ねて巻回する多段ボビンが設けられるとともに、前記１対の側脚を有する側面部に隣接する側面部が開放されており、該開放された両側面部の少なくとも一方に前記２次巻線を誘導する巻線誘導用溝が設けられ、かつ前記多段ボビンの前記巻線誘導用溝と重なる位置の少なくとも一部にも前記巻線誘導用溝と連通する巻線誘導用溝が設けられ、
前記架台は、前記Ｅ型コアの前記１対の側脚を有する側面部の少なくとも一方側に、前記１次巻線および前記２次巻線の各端部を接続する端子部が設けられていることを特徴とするものである。
【００１２】
ここで、前記Ｅ型コアは、前記中央脚と、前記１対の側脚のうちいずれか一方との間に、前記１次巻線の一部を巻回して前記１次巻線と前記２次巻線の結合係数を調整する補助脚が設けられるとともに、該補助脚の外周部に１次巻線を巻回する補助ボビンが設けられるように構成することが可能である。
【００１３】
また、前記補助ボビンと前記架台とに、前記１次巻線を掛け渡して前記１次巻線に張力を与えることにより前記２次巻線との接触を防止するための巻線引っ掛け部を設けるように構成することが可能である。
【００１４】
また、前記端子部は、前記１対の側脚を有する側面部の双方に位置する前記架台に設けられ、一方の側面部に設けられた端子部を巻線の巻始め側とし、他方の側面部に設けられた端子部を巻線の巻終わり側とすることが可能である。
【００１５】
また、前記Ｅ型コアは、横断面形状が略長方形状をなすとともに、長手方向の両端部に位置する前記架台に前記端子部が設けられるように構成することが可能である。
【００１６】
また、前記架台の裏側に、前記巻線誘導用溝から前記端子部へ向かって巻線を誘導するガイド部を設けるように構成することが可能である。
【００１７】
また、前記多段ボビンの巻枠を構成する複数の鍔部は、前記巻線誘導用溝と上下方向に対向する位置に、それぞれ切欠部が設けられるように構成することが可能である。
【発明の効果】
【００１８】
本発明に係るリーケージトランスは、端子部を設けた側脚を有する側面部に隣接する側面部を開放しているため、この開放された両側面部間の幅一杯に巻線部を配設することができる。したがって、同一の大きさの巻線部を有する従来のリーケージトランスと比較して、開放された両側面部間の幅方向の長さを短くすることができ、リーケージトランスの小型化を図ることができる。
【００１９】
また、１次巻線および２次巻線が多段ボビンに巻回されているため、これによってもボビンの幅方向の長さを短くすることができ、リーケージトランスの小型化に貢献することができる。
【００２０】
また、コア部において、巻線誘導用溝を設けた部分には側脚が存在しないため、側脚をカットする必要がなくなりコア部の形成が容易となる。
【００２１】
また、側脚が存在しない開放された側面部は初めから設計されたものであり、他の側面部に設けた側脚においてもカット部分が少ないため、設計通りの容量等を確実に確保することができる。
【発明を実施するための最良の形態】
【００２２】
以下、図面に示す具体的な実施例を用いて、本発明に係るリーケージトランスの実施形態を説明する。
【００２３】
＜実施例１＞
図１〜図４は、本発明の実施例１に係るリーケージトランスを示すもので、図１はリーケージトランスの斜視図、図２はＩ型コアを取り除いた状態のリーケージトランスの斜視図、図３はリーケージトランスの底面図、図４はリーケージトランスの縦断面図である。
【００２４】
実施例１に係るリーケージトランス１０は、図１〜図４に示すように、絶縁性を有する架台２０上に、磁性部材からなるコア部を取り付けて構成されている。
【００２５】
コア部は、１次巻線９０および２次巻線１００を収納して閉磁路を形成する部材で、架台２０上に支持されるとともに、基底部３１から上方へ向かって立設された１対の側脚および該１対の側脚３２ａ，３２ｂの間隔内に配設された中央脚３３を有するＥ型コア３０と、Ｅ型コア３０の上部開放面を閉塞するＩ型コア４０とを備えている。ここで、Ｅ型コア３０およびＩ型コア４０は、例えばフェライトを用いて形成される。
【００２６】
Ｅ型コア３０には、中央脚３３の外周部に１次巻線９０および２次巻線１００を上下に積み重ねて巻回する２段ボビン５０が取り付けられている。この２段ボビン５０は、下段側に２次巻線１００を巻回し、上段側に１次巻線９０を巻回するようになっている。また２段ボビン５０は、下側から順に下側鍔部５１、中間鍔部５２および上側鍔部５３を備えている。
【００２７】
この２段ボビン５０は、下側鍔部５１が架台２０の上面と一体となっており、中間鍔部５２により２次巻線１００を巻回する下段側と１次巻線９０を巻回する上段側とが隔離されており、さらに、上側鍔部５３がＩ型コア４０を下側から支えるようになっている。また、上側鍔部５３の上面には、Ｉ型コア４０に設けた位置決め溝４１に嵌り込む位置決め部５４ａ，５４ｂが設けられている。なお、本実施例では、２段ボビン５０が架台２０と一体に成型されているが、２段ボビン５０を架台２０とは別体に形成してもよい。
【００２８】
また、１対の側脚３２ａ，３２ｂを有する側面部に位置する架台２０には、１次巻線９０および２次巻線１００の各端部を接続する端子部６０ａ，６０ｂが設けられている。さらに、Ｅ型コア３０は、１対の側脚３２ａ，３２ｂを有する側面部に隣接する側面部、すなわち、端子部６０ａ，６０ｂが設けられていない側面部が開放されており、この開放された側面部には、中央脚３３の外周部から架台２０の側面に向かって連通した巻線誘導用溝７０ａ，７０ｂが設けられている。この巻線誘導用溝７０ａ，７０ｂは、２段ボビン５０の下側の段部に２次巻線１００を巻回する際に巻線ノズル（図示せず）が挿入される部分である。
【００２９】
また、Ｅ型コア３０には、中央脚３３と一方の側脚（図１、図２中左側の側脚３２ｂ）との間に、１次巻線９０の一部９０ａを巻回して１次巻線９０と２次巻線１００の結合係数を調整する補助脚３４が設けられており、この補助脚３４の外周部には、１次巻線９０の一部９０ａを巻回する補助ボビン８０が取り付けられている。この補助ボビン８０は、２段ボビン５０の中間鍔部５２と略同一平面上に位置する下側補助鍔部８１と、２段ボビン５０の上側鍔部５３と略同一平面上に位置する上側補助鍔部８２とを備えている。
【００３０】
上述したように、端子部６０ａ，６０ｂは、１対の側脚３２ａ，３２ｂを有する側面部に位置する架台２０に設けられており、補助脚３４側の側面部には、４つの端子ピン６１ｂ〜６１ｅと、これらの端子ピン６１ｂ〜６１ｅの両側からそれぞれ斜めに突出して設けられた２つの絡げ端子６１ａ，６１ｆを備えており、他側の側面部には、２つの端子ピン６２ａ，６２ｄと、両端子ピン６２ａ，６２ｄの間隔内から突出して設けられた２つの絡げ端子６２ｂ，６２ｃを備えている。
【００３１】
また、架台２０の裏面には、図３に示すように、巻線誘導用溝７０ａ，７０ｂと端子部６０ａ，６０ｂとの間で巻線を誘導するガイド壁２１ａ〜２１ｄが設けられている。このガイド壁２１ａ〜２１ｄにより、巻線誘導用溝７０ａ，７０ｂと端子部６０ａ，６０ｂとの間で巻線が容易かつ確実に導かれ、巻線の断線、あるいは他の部材との接触によるショート等を防止することができる。
【００３２】
なお、架台２０の裏面にガイド壁２１ａ〜２１ｄを設けるのではなく、架台２０の裏面にガイド溝を設けることにより、巻線誘導用溝７０ａ，７０ｂと端子部６０ａ，６０ｂとの間で巻線を誘導するガイド部を形成してもよい。
【００３３】
本実施例では、一方の側面部に設けられた端子部６０ａ（例えば図３中、右上側の絡げピン６２ｃ）を巻線の巻始め側とし、他方の側面部に設けられた端子部６０ｂ（例えば図３中、左下側の絡げピン６１ａ）を巻線の巻終わり側としている。ここで、特に高電圧が発生する２次巻線１００のみにおいて、巻線の巻始め側と巻終わり側を左右に振り分けてもよい。このように、巻線の巻始め側と巻終わり側を同一の側面部に設けることなく左右に振り分けることにより、巻線（特に２次巻線１００）における絶縁破壊を防止することができる。
【００３４】
また、図１および図２に示すように、補助ボビン８０の上側補助鍔部８２と架台２０には、それぞれ１次巻線９０を引っ掛けるための巻線引っ掛け部８３，２２が設けられており、この巻線引っ掛け部８３，２２の間に１次巻線９０を掛け渡すことにより１次巻線９０に張力を与えている。このように、１次巻線９０に張力を与えることにより、１次巻線９０が弛んで２次巻線１００と接触してショートするおそれがなくなる。
【００３５】
また、図示しないが、架台２０およびこれと一体となった２段ボビン５０には、Ｅ型コア３０の側脚３２ａ，３２ｂ、中央脚３３、および補助脚３４を挿通するための挿通孔が設けられている。さらに、図１および図２においては図示しないが、架台２０の背面側にも、架台２０の前面側と同様に、１次巻線９０を引っ掛けるための巻線引っ掛け部が設けられている。
【００３６】
＜実施例２＞
図５〜図８は、本発明の実施例２に係るリーケージトランスを示すもので、図５はリーケージトランスの斜視図、図６はＩ型コアを取り除いた状態のリーケージトランスの斜視図、図７は架台および２段ボビンの斜視図、図８は２段ボビンの鍔部を拡大して示す一部拡大図である。
【００３７】
実施例２に係るリーケージトランス２１０は、図５、図６に示すように、実施例１に係るリーケージトランス２１０とほぼ同様の構成となっているが、２段ボビン２５０の形状が若干異なっている。
【００３８】
以下、実施例２に係るリーケージトランス２１０について、実施例１とは構成が異なる２段ボビン２５０について詳細に説明し、その他の部分については実施例１と同一の符号を付して詳細な説明を省略する。
【００３９】
実施例２に係るリーケージトランス２１０は、図５〜図８に示すように、Ｅ型コア３０の中央脚３３の外周部に、１次巻線９０および２次巻線１００を上下に積み重ねて巻回する２段ボビン２５０が取り付けられている。この２段ボビン２５０は、下段側に２次巻線１００を巻回し、上段側に１次巻線９０を巻回するようになっている。また２段ボビン２５０は、下側から順に下側鍔部２５１、中間鍔部２５２および上側鍔部２５３を備えている。
【００４０】
この２段ボビン２５０は、下側鍔部２５１が架台２０の上面と一体となっており、中間鍔部２５２により２次巻線１００を巻回する下段側と１次巻線９０を巻回する上段側とが隔離されており、さらに、上側鍔部２５３がＩ型コア４０を下側から支えるようになっている。また、上側鍔部２５３の上面には、Ｉ型コア４０に設けた位置決め溝４１に嵌り込む位置決め部２５４ａ，２５４ｂが設けられている。なお、本実施例では、２段ボビン２５０が架台２０と一体に成型されているが、２段ボビン２５０を架台２０とは別体に形成してもよい。
【００４１】
この２段ボビン２５０には、下側鍔部２５１と一体となった架台２０に巻線誘導用溝７０ａ，７０ｂが設けられており、さらに巻線誘導用溝７０ａ，７０ｂに対向する中間鍔部２５２および上部鍔部に、切り欠き部２５５ａ，２５５ｂ，２５６ａ，２５６ｂが設けられている。この切り欠き部２５５，２５６により、巻線の誘導をさらに容易かつ確実に行うことができる。なお、巻線誘導用溝７０ａ，７０ｂは、Ｅ型コア３０の中央脚３３の外周部から架台２０の側面に向かって連通している。
【００４２】
また、架台２０には、１次巻線９０を引っ掛けるための巻線引っ掛け部２２が２箇所設けられている。さらに、図７に示すように、架台２０およびこれと一体となった２段ボビン５０には、Ｅ型コア３０の側脚３２ａ，３２ｂ、中央脚３３、および補助脚３４を挿通するための挿通孔２３ａ，２３ｂ，２４，２５が設けられている。
【００４３】
＜他の実施形態＞
前記各実施例では、中央脚の外周に２段ボビンを取り付け、上段側に１次巻線を巻回し、下段側に２次巻線を巻回しているが、ボビンの段数を３段、４段、あるいはそれ以上とし、２次巻線を複数段巻回してもよい。
【００４４】
またＥ型コアおよびＩ型コアはフェライトにより形成されているが、コアの形成材料としてはこれに限られるものではなく、他の一般的なコア材料から選択することが可能であり、例えば、パーマロイ、センダスト、鉄カルボニル等の材料を用いることが可能であり、これらの微粉末を圧縮成型したダストコアを使用することも可能である。
【００４５】
また、Ｅ型コアの中央脚の上面および補助脚の上面と、Ｉ型コアとの間にギャップを設けることにより、１次巻線と２次巻線の結合係数を調整してもよい。
【図面の簡単な説明】
【００４６】
【図１】本発明の実施例１に係るリーケージトランスの斜視図
【図２】本発明の実施例１に係るリーケージトランスにおいてＩ型コアを取り除いた状態の斜視図
【図３】本発明の実施例１に係るリーケージトランスの底面図
【図４】本発明の実施例１に係るリーケージトランスの縦断面図
【図５】本発明の実施例２に係るリーケージトランスの斜視図
【図６】本発明の実施例２に係るリーケージトランスにおいてＩ型コアを取り除いた状態の斜視図
【図７】本発明の実施例２に係る架台および２段ボビンの斜視図
【図８】本発明の実施例２に係る２段ボビンの鍔部を拡大して示す一部拡大図
【符号の説明】
【００４７】
１０  リーケージトランス（実施例１）
２０  架台
２１ａ，２１ｂ  ガイド壁
２２、８３  巻線引っ掛け部
２３ａ，２３ｂ，２４，２５  挿通孔
３０  Ｅ型コア
３１  基底部
３２ａ，３２ｂ  側脚
３３  中央脚
３４  補助脚
４０  Ｉ型コア
４１  位置決め溝
５０  ２段ボビン
５１  下側鍔部
５２  中間鍔部
５３  上側鍔部
５４ａ，５４ｂ  位置決め部
６０ａ，６０ｂ  端子部
６１ｂ〜ｅ，６２ａ，６２ｄ  端子ピン
６１ａ，６１ｆ，６２ｂ，６２ｃ  絡げ端子
７０ａ，７０ｂ  巻線誘導用溝
８０  補助ボビン
８１  下側補助鍔部
８２  上側補助鍔部
９０  １次巻線
９０ａ  結合係数調整用１次巻線
１００  ２次巻線
２１０  リーケージトランス（実施例２）
２５０  ２段ボビン
２５１  下側鍔部
２５２  中間鍔部
２５３  上側鍔部
２５４ａ，２５４ｂ  位置決め部
２５５，２５６  切り欠き部
【図１】
2006005037.tif 000003
【図２】
2006005037.tif 000004
【図３】
2006005037.tif 000005
【図４】
2006005037.tif 000006
【図５】
2006005037.tif 000007
【図６】
2006005037.tif 000008
【図７】
2006005037.tif 000009
【図８】
2006005037.tif 000010